(57)【要約】      （修正有）【課題】皮膚外用剤の粘着特性をより正確に評価できる方法を提供する。【解決手段】粘着特性評価方法において、皮膚外用剤８０が塗布された被塗布面（所定面）Ｓに接触子Ｃを載せた状態を示す。接触子Ｃは人の指である。皮膚外用剤の塗布領域における粘着力の分布に基づいて、前記皮膚外用剤の粘着特性を評価する。【選択図】図１
2019200065.tif 000002
【特許請求の範囲】
【請求項１】
皮膚外用剤の塗布領域における粘着力の分布に基づいて、前記皮膚外用剤の粘着特性を評価する、粘着特性評価方法。
【請求項２】
前記粘着力の分布は、
所定面と接触部材の表面との間を埋める皮膚外用剤の層を形成し、
前記接触部材と前記所定面とを引き離す際に、前記所定面が受ける引張力の、前記層の延在領域における分布を測定することによって測定される、請求項１に記載の粘着特性評価方法。
【請求項３】
前記接触部材は弾性体である、請求項２に記載の粘着特性評価方法。
【請求項４】
前記接触部材は、前記所定面側に凸の曲面を有する、請求項２又は３に記載の粘着特性評価方法。
【請求項５】
前記粘着力の分布は、
少なくとも前記延在領域における複数の測定点にそれぞれ対応する複数の圧力センサと、
前記複数の圧力センサのそれぞれに配設され、前記圧力センサと反対側の端部が前記所定面となる複数の予圧部材とを備えた測定装置を用いて、
前記引張力を、前記予圧部材の自重による予圧からの減圧量として測定する、請求項２から４のいずれか一項に記載の粘着特性評価方法。
【請求項６】
前記延在領域のうち辺縁領域における粘着力に基づいて、前記皮膚外用剤の粘着触感を評価する、請求項２から５のいずれか一項に記載の粘着特性評価方法。
【請求項７】
前記粘着力の分布は、前記接触部材を前記所定面から遠ざける際の時間的変化として測定される、請求項２から６のいずれか一項に記載の粘着特性評価方法。
【請求項８】
前記粘着特性は、もちもち感、べたつき、ふっくら、しっとり、及びうるおいの１つ以上の粘着触感である、請求項１から７のいずれか一項に記載の粘着特性評価方法。
【請求項９】
皮膚外用剤の粘着特性を評価する粘着特性装置であって、
前記皮膚外用剤の塗布領域における当該皮膚外用剤の粘着力の分布を測定する測定部と、
前記測定部に接続され、前記粘着力の分布に基づいて前記粘着特性を評価する解析・評価部とを備えている、粘着特性評価装置。
【発明の詳細な説明】
【技術分野】
【０００１】
本発明は、粘着特性評価方法、及び粘着特性評価装置に関する。
【背景技術】
【０００２】
皮膚外用剤の使用感（塗布時及び塗布後の触感を含む）は、消費者が皮膚外用剤を選ぶ上での重要な指標となり得る。そのため、皮膚外用剤の使用感を客観的に評価することが求められている。
【０００３】
使用感を評価する従来の方法としては、物理的な測定値に基づく評価方法が知られている。例えば、特許文献１には、皮膚外用剤を塗布した後の肌なじみ感、浸透感及び／又はべたつき感を、剥離力及び残存率を計測することにより評価する、ぬり心地評価方法が記載されている。
【先行技術文献】
【特許文献】
【０００４】
【特許文献１】特開２０１７−１０１０６３号公報
【発明の概要】
【発明が解決しようとする課題】
【０００５】
しかしながら、皮膚外用剤の使用感、特に粘着性に関連する特性（粘着性に関連する触感を含む）の評価に関し、より正確な評価方法が求められている。
【０００６】
上記の点に鑑みて、本発明の一態様は、皮膚外用剤の粘着特性をより正確に評価できる方法を提供する。
【課題を解決するための手段】
【０００７】
本発明の一態様によれば、粘着特性評価方法は、皮膚外用剤の塗布領域における粘着力の分布に基づいて、前記皮膚外用剤の粘着特性を評価する。
【発明の効果】
【０００８】
本発明の一態様によれば、皮膚外用剤の粘着特性をより正確に評価できる。
【図面の簡単な説明】
【０００９】
【図１】接触領域内での粘着力の分布について説明する図である。
【図２】本発明の一実施形態で用いられる評価装置の構成の概略的な側面図である。
【図３】図２の装置の主要部を示す斜視図である。
【図４】図２及び図３の装置による粘着力の分布の測定原理を示す図である。
【図５】図２の装置における測定装置の変形例を示すモデル図である。
【図６】データ解析における接触領域の領域分けの例を示す図である。
【図７】測定データから得られるグラフの例を示す。
【図８】実施例１及び２において各美容液について得られた粘着力の分布の時間的変化を示すグラフである。
【図９】実施例１における、粘着力の分布のデータから得られた特性値と「もちもち感」の官能評価値との関係を示す図である。
【図１０】実施例２における、粘着力の分布のデータから得られた特性値と「べたつきのなさ」の官能評価値との関係を示す図である。
【発明を実施するための形態】
【００１０】
（粘着特性評価方法）
本発明の一実施形態は、皮膚外用剤の塗布領域における粘着力の分布に基づいて、皮膚外用剤の粘着特性を評価する、粘着特性評価方法である。
【００１１】
本明細書において、粘着特性とは、皮膚外用剤の粘着性に関連する特性であり、塗布中及び塗布後の粘着性に関連する触感（粘着触感）を含む。そして、粘着触感は、皮膚外用剤を皮膚に塗布した後にその皮膚に触れた際の粘着触感、特に、皮膚外用剤が塗布された皮膚に指や掌等を接触させて又は押し当て、離す際に生じる得る粘着触感であってよい。粘着触感としては、もちもち感（もっちり感）、べたつき、ふっくら、しっとり、うるおい等が挙げられる。本実施形態によれば、特に、もちもち感、及びべたつき（若しくはべたつきのなさ感）を良好に評価することができる。
【００１２】
皮膚外用剤とは、化粧料、医薬部外品、外用医薬品等の、皮膚（又は毛髪）に外用される組成物を意味する。皮膚外用剤の形態は、塗布可能なものであれば特に限定されず、例えば、サスペンション、エマルション等の分散体、溶液、スラリー、粉体等であってよく、ローション、クリーム、ゲル、バーム等と呼ばれるものを含む。また、噴射剤等と共に充填されエアゾールとして塗布される形態であってもよい。
【００１３】
本実施形態による評価方法は、特に化粧料の評価に好適に用いることができる。化粧料の具体例としては、化粧水、乳液、美容液等の基礎化粧品、化粧下地、ファンデーション等のメーキャップ化粧品、日焼け止め剤等のパーソナルケア製品（衛生日用品）等が挙げられる。
【００１４】
上述のような粘着触感を含む粘着特性は、官能的に表現される特性であるため、定量化して評価することは難しかった。それでも従来、物理的な測定値を指標とした定量化が提案されているが、そのような指標は、皮膚外用剤の塗布領域全体から得られる特徴量、又は場合によってはそのような特徴量を複数組み合せたものに基づいていた。これに対し、本実施形態では、皮膚外用剤の塗布領域内での局所的な特徴量、より具体的には、粘着力の分布に着目している。
【００１５】
（粘着力、及び粘着力の分布）
以下、粘着力の分布について模式図を参照しながら説明する。図１（ａ）に、皮膚外用剤８０が塗布された被塗布面（所定面）Ｓに接触子Ｃを載せた状態を示す。図示の例では、接触子Ｃは人の指である。接触子Ｃ（指の腹）は、所定面積の領域で皮膚外用剤８０と接触している。図１（ａ）に示す状態から、又はさらに接触子Ｃを所定面Ｓに向かって押し付けた後、接触子Ｃを所定面Ｓから離れる方向に持ち上げた（接触子Ｃと所定面Ｓとの間隔を広げた）場合、接触子Ｃと所定面Ｓとは直ちに完全に離間せず、接触子Ｃと所定面Ｓとが皮膚外用剤８０によって橋渡し（液架橋）されて互いに間接的に結合した状態が生じる。
【００１６】
図１（ｂ）に、接触子Ｃを所定面Ｓから離れる方向に持ち上げた状態又は持ち上げている状態を示す。図１（ｂ）に示すように、皮膚外用剤８０は、その粘着性及び表面張力によって、接触子Ｃと所定面Ｓとを液架橋している。この際、接触子Ｃは皮膚外用剤８０から引っ張られる力、すなわち皮膚外用剤８０から引張力Ｆ２を受ける。接触子Ｃが全体として受ける引張力をＦ２ｔとする。一方、所定面Ｓも皮膚外用剤８０から引張力Ｆ１を受ける。ここで、所定面Ｓが全体として受ける引張力をＦ１ｔとする。引張力Ｆ１ｔは、上記引張力Ｆ２ｔと釣り合う力であり、その大きさはほぼ等価である。
【００１７】
引張力Ｆ１ｔの大きさ及び引張力Ｆ２ｔの大きさはいずれも、皮膚外用剤の塗布領域全体としての粘着力の強さに相当する。ここで、微視的に見た場合、粘着力（引張力Ｆ１ｔ、Ｆ２ｔ）は、塗布領域にわたって必ずしも均一となっていない。塗布領域において、粘着力（引張力Ｆ１、Ｆ２）は局所的に相違し得る、すなわち粘着力は分布を有し得る。
【００１８】
本発明者は、上記の粘着力の分布と皮膚外用剤の粘着特性との関係について鋭意検討した結果、粘着力の分布と皮膚外用剤の粘着特性とが相関することを見出した。より具体的には、後述のように、皮膚外用剤が所定面を引っ張る引張力の分布と粘着特性とが良好な相関関係を有することを見出した。
【００１９】
（粘着力の分布の測定）
引張力Ｆ１の分布の測定は、例えば、（ａ）所定面と接触部材（接触子）の表面との間を埋める皮膚外用剤の層を形成し、（ｂ）接触部材と所定面とを引き離す際に、所定面が受ける引張力の、前記層の延在領域における分布を測定することによって測定することができる。
【００２０】
所定面は、平坦であってもよいし湾曲していてもよいが、平坦であることが好ましい。また、接触部材の表面は、後述のように平坦であってもよいし湾曲していてもよいが、所定面側に凸に湾曲していることが好ましい。なお、所定面及び接触部材のいずれにおいても、表面に微細な凹凸が形成されていてもよい。
【００２１】
粘着力の分布の測定は、測定装置を用いて行うことができる。図２に、粘着力の分布の測定装置の一例を示す。図２の例では、測定装置１は、圧力分布センサ４０と、予圧部材１０と、接触部材６０とを備えている。また、図３に、測定装置１の主要部の斜視図を示す。
【００２２】
なお、図２に示すように、測定装置（測定部）１は、さらに解析・評価部３に接続されている。解析・評価部２は、パーソナルコンピュータ等であってよい。解析・評価部２においては、圧力分布センサ４０によって得られた圧力値のデータを取り込み、粘着力の分布を生成し、さらにそのデータを解析して、粘着特性の評価を行うことができる。よって、測定装置１は、解析・評価部３と共に粘着特性評価装置１００を構成している。
【００２３】
図示の形態では、圧力分布センサ４０はシート形状を有し、その面方向にわたって複数の圧力センサ４１が二次元に配置されている。圧力分布センサ４０は、各測定点において、圧力に応じた抵抗値の変化を検出して圧力を測定するものであってよい。例えば、行方向及び列方向にそれぞれ複数の線状の電極を配置し、行電極及び列電極の交点がセンシングポイント（測定点）となるように構成されたものを用いることができ、例としては、ニッタ株式会社製のＩ−ＳＣＡＮシリーズ等が挙げられる。また、圧力分布センサ４０としては、各測定点にロードセルを配置した構成とすることもできる。ロードセルの形式には限定はなく、ばね式、圧電素子式、磁歪式、静電容量型、ジャイロ式、ひずみゲージ式等であってよい。
【００２４】
複数の圧力センサ４１のそれぞれの上には、複数の予圧部材１０が配設されている。予圧部材１０は互いに力学的な影響を及ぼさないよう、互いに接触しないで配設されていることが好ましい。予圧部材１０は、図２及び図３に示すように細長い円柱形状のピンとすることができるが、予圧部材１０の形状は図示のものに限られず、角柱形状であってもよいし、別の形状であってもよい。また、図示のように、予圧部材１０の上端及び／又は下端は、面取りされていてもよい。予圧部材１０は、形状が変化し難い、ステンレス、アルミ等の金属で形成されていることが好ましい。
【００２５】
各予圧部材１０は、下端において各圧力センサ４１に当接し、各圧力センサ４１から離反可能に配設されている。また、複数の予圧部材１０は、上端の高さが同一になるように配設されていることが好ましい。予圧部材１０の上端面は、皮膚外用剤が塗布される所定面を形成している。互いに隣接する予圧部材１０の上端面は、隣接する予圧部材１０の移動を妨げないような形状及び大きさになっているが、複数の予圧部材１０上に皮膚外用剤を連続して塗布できるように（皮膚外用剤の層が連続して形成できるように）近接させて、又はその面積を大きくして形成することもできる。
【００２６】
図示の形態では、圧力センサ４１及び予圧部材１０は格子状に二次元に配置されている。しかし、粘着力の二次元の圧力分布を測定できるのであれば、千鳥状等のその他の配置とすることもできる。また、圧力センサ４１及びこれに対応する予圧部材１０の数は特に限定されない。図示の形態では、圧力センサ４１の数（すなわち、測定点の数）は合計１００（縦１０×横１０）であるが、圧力センサ４１（測定点）の数及び配置は図示のものに限られず、用いられる皮膚外用剤の種類や得ようとする圧力分布の精度によって変更することができる。例えば、縦及び横に配置される圧力センサ４１の数は互いに異なっていてもよい。また、圧力センサ４１は、少なくとも一列配置されていてればよい。一列に配置する場合、圧力センサ４１の数は５以上であればよく、圧力センサ４１の数は５〜２０であると好ましい。なお、圧力分布センサ４０に含まれる圧力センサ４１の合計数は、５〜４００程度とすることができる。
【００２７】
また、単位面積当たりの圧力センサ４１の数（予圧部材１０の数）、すなわち測定点の密度は、２〜６４個／ｃｍ２、好ましくは４〜４９個／ｃｍ２程度とすることができる。
【００２８】
上述のように、複数の予圧部材１０は、圧力センサ４１（圧力分布センサ４０）から離反可能であり、その離反動作においては、圧力分布センサ４０の面方向に直交する方向（図示の形態では略鉛直方向）に移動できる。この複数の予圧部材１０の移動は、測定装置１にさらに設けられた支持部２０によって支持されている。
【００２９】
支持部２０は、第１の支持板２１、第２の支持板２２、第１の支柱３１、及び第２の支柱３２を含む。図２及び図３に示すように、第１の支持板２１は予圧部材１０の上側に、第２の支持板２２は、予圧部材１０の下側に設けられており、第１の支持板２１及び第２の支持板２２には、各予圧部材１０が挿入され自在に摺動できる貫通孔が形成されている。第１の支持板２１及び第２の支持板２２はいずれも水平を維持して設けられていることが好ましい。そして、第１の支持板２１は、その四隅に形成された貫通孔を通して設けられた第１の支柱３１によって固定されている。また、第２の支持板２２も同様に、四隅に形成された貫通孔を通して設けられた第２の支柱３２によって固定されている。このような支持部２０によって、予圧部材１０の圧力分布センサ４０の面方向（図示の形態では略水平方向）の移動を規制することができる。
【００３０】
接触部材６０は、図１に示す接触子Ｃに相当する部材である。接触部材６０は、予圧部材１０に対して近接可能に配置されている。接触部材６０は、図２の形態では、双方向矢印で示すように、垂直方向に移動可能となっている。なお、接触部材６０を固定して、予圧部材１０、圧力分布センサ４０、及び支持部２０のユニットを垂直方向に可動とし、接触部材６０に近づけたり接触部材６０から遠ざけたりする構成とすることもできる。また、接触部材６０と、予圧部材１０を含む上記ユニットとの両方を可動にし、両方を動かすこともできる。接触部材６０及び上記ユニットの可動は、ロボットアーム等によって行うことができる。
【００３１】
上述のように接触部材６０を垂直方向に移動させる等して、接触部材６０と予圧部材１０との距離を広げる動作は、０．５〜１０ｍｍ／秒程度で行うことが好ましい。
【００３２】
測定に際しては、まず、接触部材６０と予圧部材１０の上端によって形成される所定面との間に、両者に接触する所定面積を有して延在する皮膚外用剤の層を形成する。所定面は、複数の予圧部材１０の面一に配置された上端面の面方向に沿った面とすることができる。皮膚外用剤の層は、例えば、接触部材６０及び予圧部材１０の上端面の少なくとも一方に皮膚外用剤を塗布し、接触部材６０と予圧部材１０の上端とを近付けて、接触部材６０と予圧部材１０の上端面で形成される所定面との間を埋めることによって形成することができる。接触部材６０と予圧部材１０とを近付ける際には、接触部材６０を予圧部材１０の方向に軽く押し付けることができる。その後、接触部材６０を予圧部材１０から引き離し、その際に、圧力分布センサ４０における各圧力センサ４１によって圧力を経時的に測定する。
【００３３】
次に、測定装置１による粘着力の分布の測定原理について説明する。図４（ａ）に、接触部材６０と、所定面を形成する予圧部材１０の上端面との間を埋めるような皮膚外用剤８０の層を形成している又は形成した後の状態を模式的に示す。この際、図４（ａ）における矢印で示すように、接触部材６０の表面を予圧部材１０の方向に軽く押し付けることができる。
【００３４】
予圧部材１０は圧力センサ４１上に配置されているため、各圧力センサ４１は、予圧部材４１の自重による力（予圧）Ｆ０をそれぞれ受けている。なお、このＦ０には、接触部材６０の自重又は押付けによる荷重に起因する力は含まれていない。
【００３５】
図４（ａ）の状態から接触部材６０を持ち上げて、接触部材６０と予圧部材１０との間隔を広げた場合、ある程度の間隔までは、図４（ｂ）に示すように、皮膚外用剤８０が、接触部材６０と所定面を構成する予圧部材１０の上端面との両方に接触したまま両者の橋渡しをした状態が保たれる。その際、接触部材６０には、皮膚外用剤８０が接触部材６０を下方向に引っ張る引張力Ｆ２、Ｆ２、…が働く。一方、予圧部材１０には、皮膚外用剤８０が各予圧部材１０を上方向に引張る引張力Ｆ１、Ｆ１、…がそれぞれ働く。なお、図４（ｂ）においては、引張力Ｆ１、Ｆ１、…は、予圧Ｆ０との関係を分かりやすくするため、予圧部材１０の下面側に示す。
【００３６】
複数の予圧部材１０の接触領域（所定面）全体にかかる引張力Ｆ１ｔは、上述のように、接触部材（接触子）６０に働く引張力Ｆ２ｔとほぼ同等である。引張力Ｆ１ｔは、所定面に沿って必ずしも均一ではなく、局所的に異なる大きさの力が働き得る。すなわち、図示の例では、中央付近の領域から外側（予圧部材１０の軸線に直交する方向で外側）に向かって配置された予圧部材１０、１０、…にそれぞれ働く引張力Ｆ１、Ｆ１、Ｆ１、…は、相違し得る。また、引張力Ｆ１の分布、或いは引張力Ｆ２の分布は、時間経過とともに変化して推移し、その推移はそれぞれ相違し得る。
【００３７】
このように予圧部材１０は、接触部材６０の持ち上げに伴い皮膚外用剤８０によって引っ張られているため、各圧力センサ４１にかかる圧力は、予圧Ｆ０から引張力Ｆ１の分だけ軽減されると言える。その結果、各圧力センサ４１には、圧力Ｆ３（Ｆ０−Ｆ１）がかかることになる。よって、各圧力センサ４１において、圧力Ｆ３を測定し、得られた値を予圧Ｆ０から差し引くことで引張力Ｆ１を求めることができる。そして、各圧力センサ４１で測定された引張力Ｆ１のデータをまとめることによって、引張力Ｆ１の分布とすることができる。
【００３８】
各圧力センサ４１にかかる予圧Ｆ０は、上述のように予圧部材１０の自重によるものであるが、予圧Ｆ０には、予圧部材１０の自重に追加の圧力を加えることもできる。このように、予圧部材１０に追加の圧力を加えることで、予圧Ｆ０を大きくすることができ、粘着力の検出最大値を大きくすることができる。測定対象である皮膚外用剤の粘着力が大きい場合には、サイズ及び／又は重量の大きな予圧部材を配設する必要があり、装置が大型化してしまう。しかし、上記のように追加の圧力を加えることにより、予圧部材サイズや重量を大きくする必要なく、粘着力の測定範囲を大きくすることができる。
【００３９】
追加の圧力は、例えば、予圧部材１０を機械的、電気的、又は磁気的な力で引っ張ることによって生じさせることができる。予圧部材１０に追加の圧力を加えるためには、例えば、予圧部材の下端側に、下端面と接触して又は接触させずに配置して、磁力による引張力が生じるように測定装置を構成することができる。磁力による引張力は、例えば、圧力センサ４１の下側に磁石を配置することによって発生させることができる。図５に、磁石７０をさらに設けた測定装置１のモデル図を示す。磁石７０の種類は特に限定されないが、磁力が強いことからネオジウム磁石等を用いることが好ましい。
【００４０】
接触部材６０の表面６１の形状は限定されないが、予圧部材１０側（所定面側）に凸となる曲面であることが好ましい。皮膚外用剤の粘着触感を感じるのは、通常、皮膚外用剤を皮膚に塗布して指や掌で撫でたり、指や掌を皮膚に押し付けて離したりする時である。そのため、接触部材６０の表面６１が、表面が丸みを帯びている指や掌を模して湾曲していることで、粘着触感が生じる際の現実の状態により近い状態で、より正確に粘着触感の評価を行うことができる。接触部材６０の表面６１が予圧部材側１０に凸である場合、その突出部分は、中心を含まない部分球又は部分楕円球状であると好ましい。また、円筒をその軸線に平行な方向で切断した形状とすることもできる。すなわち、突出部分を少なくとも一方向で切った断面形状が、部分円又は部分楕円となっていることが好ましい。部分円の曲率半径（部分楕円の最大の曲率半径）は１ｃｍ以上であると好ましく、２〜８ｃｍ程度であるとより好ましい。
【００４１】
また、接触部材６０は、変形可能な、例えば弾性を有する材料（弾性体）であると好ましい。接触部材６０の表面６１を形成する材料としては、高分子材料、例えば樹脂、ゴム等が好ましく、ウレタン、例えばゲル状のウレタン等を用いることが好ましい。接触部材６０の表面６１が弾性を有する材料で形成することによって、人の指や掌が皮膚外用剤に触れた時に近い状態を作りだすことができ、より正確に粘着触感を評価することができる。
【００４２】
なお、接触部材６０として、人工的に作製した接触部材に代えて、人の指の腹側（第１関節から先端までの部分）や掌を用いることもできる。
【００４３】
（データの解析）
上述のように測定装置１を用いた場合には、各圧力センサ４１における圧力測定値Ｆ３を各予圧部材１０の予圧Ｆ０から差し引くことによって得られる値Ｆ１（＝Ｆ２）を得ることができる。この場合、圧力分布センサ４０の各圧力センサ４１における測定値Ｆ３及び予圧Ｆ０のデータは解析・評価部２に送られ、この解析・評価部２にて、データの解析及び皮膚外用剤の粘着特性の評価を行うことができる。
【００４４】
データの解析に際しては、例えば、測定装置１において配列されている複数の予圧部材を２以上の領域に分けて、領域ごとのデータを生成することができる。図６に、予圧部材の領域分けの例を示す。図６は、配列された複数の予圧部材１０を上面視で模式的に表した図であり、１つのマス（正方形）に１つの予圧部材１０（１つの圧力センサ４１）が対応している。図６において、色付けされている予圧部材１０は、接触部材６０を予圧部材１０（所定面）から引き離す際に、皮膚外用剤８０と接触する予圧部材である（図４（ｂ））。すなわち、図６の色付けは、予圧部材１０の皮膚外用剤８０との接触領域に対応し、接触部材６０の皮膚外用剤８０との接触領域ともほぼ対応している。
【００４５】
図６では、色付けされている予圧部材（接触領域に少なくとも部分的に含まれる予圧部材）は、中央領域Ｒｃ、その周辺の中間領域Ｒｍ、接触領域の辺縁となる辺縁領域Ｒｐに同心円状に領域分けされている。図示の例では、接触領域は３つの領域に分けられているが、中央と周辺との２つの領域に分けてもよいし、４つ以上の領域に分けることができる。また、中央領域Ｒｃ、中間領域Ｒｍ、及び辺縁領域Ｒｐに分けられる予圧部材の数は、図示のものに限られず、接触部材６０の大きさ及び形状、皮膚外用剤を塗布する領域の大きさ及び形状、予圧部材１０の本数や配置等によって決めることができる。
【００４６】
なお、上述のように予圧部材１０の配置が一列である場合にも、一次元的に中央領域Ｒｃ、中間領域Ｒｍ、及び辺縁領域Ｒｐと領域を分けることができる。
【００４７】
各圧力センサ４１のデータは、同じ領域内で合計又は平均されて、領域としてのデータとすることができる。また、上述のように、圧力の測定は接触部材６０と所定面Ｓとを引き離しつつ経時的に行うことができる。よって、得られたデータを中央領域Ｒｃ、中間領域Ｒｍ、及び辺縁領域Ｒｐの領域ごとにまとめることによって、各領域における引張力Ｆ１の分布の時間的変化に関するデータを取得することができる。そして、得られたデータは、解析・評価部２（図２）において記録され、グラフとして出力（表示）することもできる。
【００４８】
図７（ａ）に、中央領域Ｒｃ、中間領域Ｒｍ、及び辺縁領域Ｒｐそれぞれにおいて記録された引張力Ｆ１ｃ、Ｆ１ｍ、及びＦ１ｐ、並びにこれらの合計の引張力Ｆ１ｔの時間的変化の例を示す。図７（ａ）のグラフでは、横軸は時間（単位：ｍｓｅｃ）、縦軸は、領域内で荷重として測定された粘着力（単位：ｇ）を表す。各領域のデータ（Ｆ１ｃ、Ｆ１ｍ、及びＦ１ｐ）は、領域内の各圧力センサで測定された各測定値の合計値である。図７（ａ）に示すように、各領域の粘着力Ｆ２ｃ、Ｆ２ｍ、及びＦ２ｐは、それぞれ異なった時間的推移を示す。
【００４９】
皮膚外用剤の評価は、測定データから得られた図７（ａ）に示すようなグラフ（粘着力の分布の時間的変化）に基づき、直接的に評価を行うことができる。また、測定データ又はグラフから特性値を求め、その特性値に基づく評価を行うこともできる。
【００５０】
例えば、各領域において、粘着力のピーク値、粘着力の持続時間（粘着力が測定され始めてから測定されなくなるまでの時間）、積分値、粘着力が測定され始めてからピーク値までの時間等の特性値を求め、その特性値の１つ以上に基づき評価を行うことができる。
【００５１】
また、図７（ａ）のようなグラフを正規分布で近似し、図７（ｂ）に示すようなグラフを取得することもできる。正規分布で近似することで、グラフデータの処理が簡便となる。具体的には、特定の条件を調整する必要なく、粘着力の時間的変化に関わる特性値を算出することができる。正規分布で近似したデータから、ピーク値、平均値、分散、標準偏差、尖度、歪度等の特性値を求めることができ、その特性値の１つ以上に基づき評価を行うことができる。
【００５２】
粘着特性、特に粘着触感は、辺縁領域Ｒｐにおけるデータ（グラフ及び特性値を含む）に基づき良好に評価できる。この辺縁領域Ｒｐにおけるデータは、粘着触感の中でも、もちもち感、及びべたつき（若しくはべたつきのなさ感）といった触感との間に高い相関を示す。
【００５３】
なお、粘着特性の評価においてサンプルとなる皮膚外用剤は、そのまま使用してもよいし、濃縮する等の処理を加えてから使用してもよい。皮膚外用剤が揮発性成分を多く含んでいる場合には揮発性成分が塗布後直ちに揮発するため、実際の使用において使用者は、揮発性成分がある程度除去された皮膚外用剤に対して粘着触感を実感することになると言える。そのため、皮膚外用剤が揮発性成分を多く含む場合には、予め揮発性成分を飛ばす等の濃縮処理を行うことで、より正確に粘着触感を評価することができる。その場合、濃縮率は元の状態の２０〜９０％程度とすることができる。
【実施例】
【００５４】
（実施例１）
粘着触感の１つである「もちもち感」と粘着力の分布との相関関係を求めた。皮膚外用剤としては、美容液Ｂ１〜Ｂ９を準備した。
【００５５】
まず、美容液Ｂ１〜Ｂ９について、予め官能評価を行った。官能評価は、「塗布直後、肌がもちもちする」に対して「非常にそう思う」〜「全くそう思わない」の５段階評価とした。各美容液につき女性約１５０名（２０〜６９歳）の評価を得て、その算術平均を求め、各美容液に対する官能評価値とした。
【００５６】
粘着力の分布は、図２及び図３に示す評価装置１００と同様の機能を有する装置を用いて測定した。但し、本実施例では、測定装置におけるピン（予圧部材）の数は計４００であった（縦２０×横２０の配置）。また、各ピンはステンレス製であり、その直径は２ｍｍ、高さは１００ｍｍであり、重量は約２．５ｇであった。圧力分布センサとしては、ニッタ株式会社製のＩ−ＳＣＡＮ１００を用いた。この圧力分布センサにおいて圧力センサは格子状に配列されており、圧力センサ間の間隔は２．５４ｍｍである。各ピンは、各圧力センサのセンシングポイントに一対一で対応しているので、圧力センサ間の間隔はピンの間隔（ピッチ）に等しい。
【００５７】
また、接触部材としては、ピン側に凸の突出部分を表面に有する、ウレタンゲル製のドーム状肌モデルを用いた。突出部分の形状は、中心を含まない部分球状であり、その断面視の輪郭の曲率半径は約４ｃｍであった。
【００５８】
測定装置のピンの上端面に美容液を１８０〜２４０μＬ塗布し、接触部材をピン方向に近付け、美容液と接触させた。そして、１ｍｍ／ｓｅｃで、ピン方向（下方）に１．５ｍｍ押し付けた後、接触部材をピンと反対の方向（上方）に引き離した。この引き離しの際に、圧力分布センサの各圧力センサかかる荷重を経時的に記録した。この荷重の測定値を、予め測定しておいた上記ピンの荷重（予圧）から差し引いた値が、皮膚外用剤がピンを引っ張る力であり、皮膚外用剤の粘着力である。
【００５９】
なお、計測環境は２１．５℃、相対湿度４６％であった。また、測定に際し、美容液Ｂ１〜Ｂ９には濃縮処理を行った。この濃縮処理は、美容液Ｂ１〜Ｂ９を、上記の官能評価において評価者が評価した時点での状態に近付けるための処理である。具体的には、やや高温で、重量ベースで２０〜９０％に濃縮した。
【００６０】
各圧力センサで測定された粘着力の時間変化のデータに基づき、粘着力の分布の時間的変化をグラフ化した。図８に、美容液Ｂ１〜Ｂ９についての各グラフを示す。なお、美容液Ｂ６については、濃縮時に結晶物が生じたため比較可能なデータを取ることができなかった。図８より、各美容液で、粘着挙動の時間的推移が異なっていることが分かる。
【００６１】
さらに、粘着力の分布のデータから、辺縁領域Ｒｐのピーク値を特性値として算出した。続いて、上述のように予め取得しておいた各美容液の「もちもち感」の官能評価値と、上記ピーク値との相関関係を調べたところ、図９に示すように、高い相関関係があることが分かった（ｒ＝０．７４）。よって、辺縁領域における粘着力のピーク値を測定することで、「もちもち感」をより正確に評価することができる。
【００６２】
（実施例２）
実施例２では、「べたつきのなさ」と粘着力の分布との相関関係を求めた。実施例１と同様に美容液Ｂ１〜Ｂ９を用い、「塗布直後、肌がべたつかない」に対する官能評価も、美容液Ｂ１〜Ｂ９について実施例１と同様に行った。また、粘着力の分布の時間的変化のデータを得てグラフ化する（図８）ところまでは実施例１と同様にして行った。
【００６３】
続いて、各データにおける粘着力の分布の各グラフ（各領域のグラフ）をそれぞれ正規分布で近似し、辺縁領域Ｒｐのグラフについて標準偏差を求め、これを特性値とした。そして、予め取得しておいた「べたつきのなさ」の官能評価値と、上記標準偏差の値との相関関係を調べたところ、図１０に示すように高い相関関係があることが分かった（ｒ＝０．８６）。よって、辺縁領域におけるデータから標準偏差を求めることで、「べたつきのなさ」をより正確に評価することができる。
【符号の説明】
【００６４】
１  測定装置
２  解析・評価部
１０  予圧部材
２０  支持部
２１  第１の支持板
２２  第２の支持板
３１  台の支柱
３２  第２の支柱
４０  圧力分布センサ
４１  圧力センサ
５１  載置台
５２  スタンド
６０  接触部材
６１  接触部材表面
７０  磁石
８０  皮膚外用剤
Ｃ  接触子
Ｓ  所定面
【図１】
2019200065.tif 000003
【図２】
2019200065.tif 000004
【図３】
2019200065.tif 000005
【図４】
2019200065.tif 000006
【図５】
2019200065.tif 000007
【図６】
2019200065.tif 000008
【図７】
2019200065.tif 000009
【図８】
2019200065.tif 000010
【図９】
2019200065.tif 000011
【図１０】
2019200065.tif 000012